【手続補正書】
【提出日】令和3年9月10日(2021.9.10)
【手続補正１】
【補正対象書類名】特許請求の範囲
【補正対象項目名】全文
【補正方法】変更
【補正の内容】
【特許請求の範囲】
【請求項１】
光デバイスであって、
光入力を与えるように構成された入力ファイバであって、該入力ファイバがクラッディングおよびコアを有し、前記入力ファイバの一方の側の前記クラッディングが前記入力ファイバの端部において除去され、それにより、所定の距離の間、前記入力ファイバに沿って平坦面が作製され、該平坦面が、前記ファイバ・コアが露出されるように、前記ファイバの前記コアに近接するように構成された、入力ファイバと、
前記光入力を受けるように構成されたターゲット・フォトニック集積回路（ＰＩＣ）導波路であって、該ターゲットＰＩＣ導波路が平面であり、上部クラッディング層およびコアを有する、ターゲットＰＩＣ導波路と、
前記ターゲットＰＩＣ導波路の上面が露出されるように、結合領域中の前記ターゲットＰＩＣ導波路の前記上部クラッディング層上に作製された平底チャネルと、
を備え、
前記入力ファイバの前記平坦面は、前記入力ファイバの前記コアおよび前記ターゲットＰＩＣ導波路の前記コアが、ハイブリッド導波路を形成するために前記結合領域中で互いに近接し、平行になるように、前記ターゲットＰＩＣ導波路の前記上面に接触するように構成され、
前記光デバイスはまた、
前記入力ファイバからの光を前記ハイブリッド導波路に結合するための第１のトランジションと、
前記ハイブリッド導波路からの光を前記ターゲットＰＩＣ導波路に結合するための第２のトランジションと
を備え、
前記結合領域が、前記ターゲットＰＩＣ導波路の平面内で縦方向において前記第１のトランジションと前記第２のトランジションとの間にあるように構成された、光デバイス。
【請求項２】
光デバイスであって、
光入力を与えるように構成された入力ファイバであって、該入力ファイバがクラッディングおよびコアを有し、前記入力ファイバの一方の側の前記クラッディングが前記入力ファイバの端部において除去され、それにより、所定の距離の間、前記入力ファイバに沿って平坦面が作製され、該平坦面が、前記ファイバ・コアが露出されるように、前記ファイバの前記コアに近接するように構成された、入力ファイバと、
前記光入力を受けるように構成されたターゲット・フォトニック集積回路（ＰＩＣ）導波路であって、該ターゲットＰＩＣ導波路が平面であり、上部クラッディング層およびコアを有し、前記ターゲットＰＩＣ導波路の前記コアの幅が、面内テーパを画定するために、中心軸に対して対称に、前記コアの長さに沿って徐々に狭くなるように構成された、ターゲットＰＩＣ導波路と、
前記ターゲットＰＩＣ導波路の上面が露出されるように、結合領域中の前記ターゲットＰＩＣ導波路の前記上部クラッディング層上に作製された平底チャネルと、
を備え、
前記入力ファイバの前記平坦面は、前記入力ファイバの前記コアおよび前記ターゲットＰＩＣ導波路の前記コアが、ハイブリッド導波路を形成するために前記結合領域中で互いに近接し、平行になるように、前記ターゲットＰＩＣ導波路の前記上面に接触するように構成され、
前記光デバイスはまた、
前記入力ファイバからの光を前記ハイブリッド導波路に結合するための第１のトランジションと、
前記ハイブリッド導波路からの光を前記ターゲットＰＩＣ導波路に結合するための第２のトランジションと
を備え、
前記結合領域が、前記ターゲットＰＩＣ導波路の平面内で縦方向において前記第１のトランジションと前記第２のトランジションとの間にあるように構成された、光デバイス。
【請求項３】
光デバイスであって、
光入力を与えるように構成された入力ファイバであって、該入力ファイバがクラッディングおよびコアを有し、前記入力ファイバの一方の側の前記クラッディングが前記入力ファイバの端部において除去され、それにより、所定の距離の間、前記入力ファイバに沿って平坦面が作製され、該平坦面が、前記ファイバ・コアが露出されるように、前記ファイバの前記コアに近接するように構成された、入力ファイバと、
前記光入力を受けるように構成されたターゲット・フォトニック集積回路（ＰＩＣ）導波路であって、該ターゲットＰＩＣ導波路が平面であり、上部クラッディング層およびコアを有する、ターゲットＰＩＣ導波路と、
前記ターゲットＰＩＣ導波路の上面が露出されるように、結合領域中の前記ターゲットＰＩＣ導波路の前記上部クラッディング層上に作製された平底チャネルであって、該平底チャネルが前記ターゲットＰＩＣ導波路の対称軸に対して面内角を有する、平底チャネルと、
を備え、
前記入力ファイバの前記平坦面は、前記入力ファイバの前記コアおよび前記ターゲットＰＩＣ導波路の前記コアが、ハイブリッド導波路を形成するために前記結合領域中で互いに近接し、平行になるように、前記ターゲットＰＩＣ導波路の前記上面に接触するように構成され、
前記光デバイスはまた、
前記入力ファイバからの光を前記ハイブリッド導波路に結合するための第１のトランジションと、
前記ハイブリッド導波路からの光を前記ターゲットＰＩＣ導波路に結合するための第２のトランジションと
を備え、
前記結合領域が、前記ターゲットＰＩＣ導波路の平面内で縦方向において前記第１のトランジションと前記第２のトランジションとの間にあるように構成された、光デバイス。
【請求項４】
光デバイスであって、
光入力を与えるように構成された入力ファイバであって、該入力ファイバがクラッディングおよびコアを有し、前記入力ファイバの一方の側の前記クラッディングが前記入力ファイバの端部において除去され、それにより、所定の距離の間、前記入力ファイバに沿って平坦面が作製され、該平坦面が、前記ファイバ・コアが露出されるように、前記ファイバの前記コアに近接するように構成された、入力ファイバと、
前記光入力を受けるように構成されたターゲット・フォトニック集積回路（ＰＩＣ）導波路であって、該ターゲットＰＩＣ導波路が平面であり、上部クラッディング層およびコアを有し、前記ターゲットＰＩＣ導波路の前記コアの幅が、面内テーパを画定するために、中心軸に対して対称に、前記コアの長さに沿って徐々に狭くなるように構成された、ターゲットＰＩＣ導波路と、
前記ターゲットＰＩＣ導波路の上面が露出されるように、結合領域中の前記ターゲットＰＩＣ導波路の前記上部クラッディング層上に作製され、前記ターゲットＰＩＣ導波路の前記中心軸に対して面内角に向けられた平底チャネルと、
を備え、
前記入力ファイバの前記平坦面は、前記入力ファイバの前記コアおよび前記ターゲットＰＩＣ導波路の前記コアが、（１）前記ターゲットＰＩＣ導波路の前記中心軸に対して前記面内角で交差し、（２）ハイブリッド導波路を形成するために前記結合領域中で互いに近接するように、前記ターゲットＰＩＣ導波路の前記上面に接触するように構成され、
前記光デバイスはまた、
前記入力ファイバからの光を前記ハイブリッド導波路に結合するための第１のトランジションと、
前記ハイブリッド導波路からの光を前記ターゲットＰＩＣ導波路に結合するための第２のトランジションと
を備え、
前記結合領域が、前記ターゲットＰＩＣ導波路の平面内で縦方向において前記第１のトランジションと前記第２のトランジションとの間にあるように構成された、光デバイス。
【請求項５】
前記ターゲットＰＩＣ導波路の前記コアが、前記入力ファイバの前記コアの屈折率よりも高い屈折率を有する、請求項１から４のいずれか１項に記載の光デバイス。
【請求項６】
前記ターゲットＰＩＣ導波路の前記コアが窒化ケイ素であり、前記ターゲットＰＩＣ導波路の前記クラッディングが酸化ケイ素である、請求項１から４のいずれか１項に記載の光デバイス。
【請求項７】
前記ターゲットＰＩＣ導波路が複屈折性である、請求項１から４のいずれか１項に記載の光デバイス。
【請求項８】
前記入力ファイバが偏波保持ファイバである、請求項１から４のいずれか１項に記載の光デバイス。
【請求項９】
前記入力ファイバの前記コアの一部分が前記結合領域内で除去される、請求項１から４のいずれか１項に記載の光デバイス。
【請求項１０】
前記第１のトランジションが前記ターゲットＰＩＣ導波路の始端であり、前記第２のトランジションが前記入力ファイバの先端である、請求項１に記載の光デバイス。
【請求項１１】
前記第１のトランジションが前記ターゲットＰＩＣ導波路の前記テーパの始端であり、前記第２のトランジションが前記入力ファイバの先端である、請求項２又は４に記載の光デバイス。
【請求項１２】
前記第１のトランジションが前記ハイブリッド導波路の前端であり、前記第２のトランジションが前記ハイブリッド導波路の後端である、請求項３に記載の光デバイス。
【請求項１３】
前記ターゲットＰＩＣ導波路の前記コアが、前記入力ファイバの前記コアの屈折率よりも低い屈折率を有する、請求項１から４のいずれか１項に記載の光デバイス。